(57)【特許請求の範囲】
【請求項１】
原稿データを基材に印刷する際に用いる色材の種類と、前記色材の印刷時の重ね合わせ順と、を指定する通常印刷順指定部と、
前記色材の種類および前記色材の重ね合わせ順に基づく印刷の繰り返し回数と、前記基材の種類と、のうち少なくとも一方を指定する多重印刷順および基材指定部と、
前記通常印刷順指定部と前記多重印刷順および基材指定部において指定された情報に基づいて、前記原稿データの印刷結果を模擬したプレビュー画像を生成するプレビュー画像生成部と、
を有して、
前記多重印刷順および基材指定部が、前記基材として透明フィルムを指定して、なおかつ前記透明フィルムの裏面側に前記原稿データの印刷を指定したことを条件として、
前記プレビュー画像生成部は、前記原稿データの左右を反転させて、前記基材の裏面側に重ね合わせる、
ことを特徴とする画像処理装置。
【請求項２】
請求項１に記載の画像処理装置と、
原稿データを、前記画像処理装置によって設定した印刷条件で印刷する画像印刷装置と、
を有することを特徴とする画像処理システム。
【請求項３】
請求項１に記載の画像処理装置で実行される画像処理方法であって、
原稿データを基材に印刷する際に用いる色材の種類と、前記色材の印刷時の重ね合わせ順と、を指定する通常印刷順指定工程と、
前記色材の種類および前記色材の重ね合わせ順に基づく印刷の繰り返し回数と、前記基材の種類と、のうち少なくとも一方を指定する多重印刷順および基材指定工程と、
前記通常印刷順指定工程と前記多重印刷順および基材指定工程において指定された情報に基づいて、前記原稿データの印刷結果を模擬したプレビュー画像を生成するプレビュー画像生成工程と、を含む画像処理方法であって、
前記多重印刷順および基材指定工程が、前記基材として透明フィルムを指定して、なおかつ前記透明フィルムの裏面側に前記原稿データの印刷を指定したことを条件として、
前記プレビュー画像生成工程は、前記原稿データの左右を反転させて、前記基材の裏面側に重ね合わせる、
画像処理方法。
【請求項４】
コンピュータに対して、
原稿データを基材に印刷する際に用いる色材の種類と、前記色材の印刷時の重ね合わせ順と、を指定する通常印刷順指定ステップと、
前記色材の種類および前記色材の重ね合わせ順に基づく印刷の繰り返し回数と、前記基材の種類と、のうち少なくとも一方を指定する多重印刷順および基材指定ステップと
前記通常印刷順指定ステップと前記多重印刷順および基材指定ステップにおいて指定された情報に基づいて、前記原稿データの印刷結果を模擬したプレビュー画像を生成するプレビュー画像生成ステップと、を実行させるプログラムであって、
前記多重印刷順および基材指定ステップが、前記基材として透明フィルムを指定して、なおかつ前記透明フィルムの裏面側に前記原稿データの印刷を指定したことを条件として、
前記プレビュー画像生成ステップが、前記原稿データの左右を反転させて、前記基材の裏面側に重ね合わせる、
プログラム。
【請求項５】
請求項４に記載のプログラムを記録した、コンピュータが読み取り可能な記録媒体。
【発明の詳細な説明】
【技術分野】
【０００１】
本発明は、画像処理装置、画像処理システム、画像処理方法、プログラム、および記録媒体に関する。
【背景技術】
【０００２】
プリンタ等の画像形成装置を用いて、紙媒体や透明フィルム、布媒体等の基材（被印刷物）に対して、トナーやインク等の色材によって原稿データを印刷した際の印刷結果を、事前にディスプレイ等の表示デバイス上に画面表示する印刷プレビュー技術が知られている。このような従来の印刷プレビュー技術は、例えば、光源の位置や照明方向を変更した際の印刷結果をプレビューすることができた。
【発明の概要】
【発明が解決しようとする課題】
【０００３】
しかしながら、ＣＭＹＫ（シアン、マゼンタ、イエロー、ブラック）のプロセスカラーとともに特殊な色材（例えばホワイトトナーやクリアトナー等）を用いて、複数回の転写および定着を行う印刷プロセスにあっては、従来の印刷プレビュー技術では、実際に印刷を行う前に印刷結果をプレビューすることはできなかった。
【０００４】
本発明は、上記に鑑みてなされたものであって、様々な印刷条件、すなわち、色材の種類、色材の重ね合わせ順、および印刷の繰り返し回数、基材の種類に応じた印刷結果を模擬したプレビュー画像を生成することを目的とするものである。
【課題を解決するための手段】
【０００５】
上述した課題を解決し、目的を達成するために、本発明は、原稿データを基材に印刷する際に用いる色材の種類と、前記色材の印刷時の重ね合わせ順と、を指定する通常印刷順指定部と、前記色材の種類および前記色材の重ね合わせ順に基づく印刷の繰り返し回数と、前記基材の種類と、のうち少なくとも一方を指定する多重印刷順および基材指定部と、前記通常印刷順指定部と前記多重印刷順および基材指定部において指定された情報に基づいて、前記原稿データの印刷結果を模擬したプレビュー画像を生成するプレビュー画像生成部と、を有して、前記多重印刷順および基材指定部が、前記基材として透明フィルムを指定して、なおかつ前記透明フィルムの裏面側に前記原稿データの印刷を指定したことを条件として、前記プレビュー画像生成部は、前記原稿データの左右を反転させて、前記基材の裏面側に重ね合わせる、ことを特徴とする。
【発明の効果】
【０００６】
本発明によれば、様々な印刷条件、すなわち、色材の種類、色材の重ね合わせ順、および印刷の繰り返し回数、基材の種類に応じたプレビュー画像を生成することができるため、基材に対する色材の重なり順に応じた印刷結果を、印刷を実行する前に確認することができる。
【図面の簡単な説明】
【０００７】
【図１】図１は、実施形態に係る複写機のハードウェア構成を示すハードウェアブロック図である。
【図２】図２は、実施形態に係る画像処理装置のハードウェア構成を示すハードウェアブロック図である。
【図３】図３は、画像処理装置がプレビュー画像生成処理を実行する際の機能構成を示す概略的な機能ブロック図である。
【図４】図４は、色材の種類とその重ね合わせ順を指定するＧＵＩ画面の一例を示す図である。
【図５】図５は、基材の種類および多重印刷順を指定するＧＵＩ画面の一例を示す図である。
【図６】図６は、プレビュー画像生成処理の流れを示すフローチャートである。
【図７】図７は、複写機のハードウェア構成を示すハードウェアブロック図である。
【発明を実施するための形態】
【０００８】
以下に添付図面を参照して、画像処理装置、画像処理システム、画像処理方法、プログラム、および記録媒体の実施の形態を詳細に説明する。
【０００９】
（画像処理システムのハードウェア構成の説明）
まず、図１を用いて、本実施形態に係る画像処理システムのハードウェア構成について説明する。図１は、本実施形態に係る画像処理装置システムを複写機１６０に適用した際のハードウェア構成を示すハードウェアブロック図である。すなわち、複写機１６０は、画像処理装置１００と、ＤＦＥ（Digital  Front  End）１６２と、画像印刷装置１６４を備える。
【００１０】
画像処理装置１００とＤＦＥ１６２は、ＬＡＮ（Local  Area  Network）１５０で互いに接続されている。
【００１１】
画像処理装置１００は、原稿データＭｄを、ＬＡＮ１５０を介して、外部のコンピュータ等から取得する。或いは、例えばＵＳＢメモリに記憶した原稿データＭｄを、画像処理装置１００に設けた原稿読み取り手段によって読み取る構成であってもよい。そして、画像処理装置１００は、原稿データＭｄを印刷する際に必要な印刷条件を表す印刷パラメータＭｐを指定することによって、原稿データＭｄの印刷結果を模擬した後述するプレビュー画像Ｐｉ（図３参照）を生成する。印刷パラメータＭｐの詳細と画像処理装置１００の内部構成については後述する。
【００１２】
ＤＦＥ１６２は、原稿データＭｄ、および画像処理装置１００において指定した印刷パラメータＭｐに基づいて、原稿データＭｄを印刷可能な形式の印刷データＰｄに変換するラスタライズ等の処理を行う。
【００１３】
画像印刷装置１６４は、紙媒体や透明フィルム、布媒体等の被印刷物である基材の上に、ＣＭＹＫのプロセスカラーを有する色材およびホワイトトナーやクリアトナー等の特殊な色材を重ね合わせて、印刷データＰｄを印刷して出力する。画像印刷装置１６４は、例えば、レーザ書込み・電子写真プロセスに従って記録紙に画像を形成するレーザプリンタである。
【００１４】
（画像処理装置のハードウェア構成の説明）
次に、画像処理装置１００のハードウェア構成について、図２を用いて説明する。図２は、実施形態に係る画像処理装置１００のハードウェア構成を示すハードウェアブロック図である。画像処理装置１００は、ＣＰＵ（Central  Processing  Unit）１２０と、ＲＯＭ（Read  Only  Memory）１３０と、ＲＡＭ（Random  Access  Memory）１３２と、ＨＤＤ（Hard  Disc  Drive）１３４と、操作表示部１４１と、ＬＡＮコントローラ１４２を備える。画像処理装置１００において、ＣＰＵ１２０とその他のハードウェアは、内部バス１４４で互いに接続されており、通常のコンピュータを利用したハードウェア構成を有している。
【００１５】
ＣＰＵ１２０は、ＲＯＭ１３０に格納されたプログラムＰに従って動作して、例えばコンピュータ１４６から原稿データＭｄを取得する。そして、ＣＰＵ１２０は、取得した原稿データＭｄの印刷結果を模擬したプレビュー画像Ｐｉを生成する。さらに、ＣＰＵ１２０は、画像処理装置１００全体の動作を制御する演算手段として機能する。
【００１６】
ＲＯＭ１３０は、ＣＰＵ１２０を動作させるプログラムＰを格納する、読み出し専用のメモリである。
【００１７】
ＲＡＭ１３２は、ＣＰＵ１２０がプログラムＰを実行する際の主記憶手段として機能する、書き込みおよび読み出し可能なメモリである。ＲＡＭ１３２の内部には、ＣＰＵ１２０がＲＯＭ１３０から読み込んだプログラムＰが展開されて、後述する各機能部が、夫々実行可能な形態で生成される。
【００１８】
前述したプログラムＰは、予めＲＯＭ１３０に格納しておく以外に、インストール可能な形式、または実行可能な形式のファイルでＣＤ−ＲＯＭ、フレキシブルディスク（ＦＤ）、ＣＤ−Ｒ、ＤＶＤ（Digital  Versatile  Disc）等のＣＰＵ１２０（コンピュータ）で読み取り可能な、非図示の記録媒体Ｄに記録して提供する構成にしてもよい。
【００１９】
さらに、プログラムＰは、ＬＡＮ１５０に接続したコンピュータ１４６上に格納して、ＬＡＮ１５０およびＬＡＮコントローラ１４２を介してダウンロードさせることにより提供してもよい。また、プログラムＰは、インターネット等のネットワーク経由で提供または配布する構成にしてもよい。
【００２０】
ＨＤＤ１３４は、プレビュー画像Ｐｉを生成するために必要な、基材および色材の種類毎の分光反射特性等のデータを予め記憶しておくストレージ（データ記憶手段）として機能する。なお、ＨＤＤ１３４は、フラッシュメモリで構成してもよい。
【００２１】
操作表示部１４１は、ＣＰＵ１２０に対する情報入力手段およびＣＰＵ１２０の出力のモニタ手段として機能する。操作表示部１４１は、ディスプレイ１３６とタッチパネル１４０を備える。ディスプレイ１３６は、例えば液晶モニタで構成されて、プレビュー画像Ｐｉを表示する表示手段として機能する。さらに、ディスプレイ１３６は、画像処理装置１００が、プレビュー画像Ｐｉを生成するために必要な情報をＣＰＵ１２０に入力するための入力画面であるユーザインタフェース画面、すなわちＧＵＩ（Graphical  User  Interface）画面を表示する。
【００２２】
タッチパネル１４０は、画像処理装置１００がプレビュー画像Ｐｉを生成するために必要な情報である印刷パラメータＭｐを指定して、指定された印刷パラメータＭｐをＣＰＵ１２０に入力する情報入力手段として機能する。
【００２３】
ＬＡＮコントローラ１４２は、画像処理装置１００と、コンピュータ１４６および図１の画像印刷装置１６４等の外部機器を、ＬＡＮ１５０を介して接続する。そして、ＬＡＮコントローラ１４２は、コンピュータ１４６から原稿データＭｄを取得するとともに、ＬＡＮ１５０を介して、原稿データＭｄと印刷パラメータＭｐを図１のＤＦＥ１６２に送信する。
【００２４】
（画像処理装置の機能構成の説明）
以下、図３を用いて、図２の画像処理装置１００の機能構成について説明する。図３は、ＣＰＵ１２０が、原稿データＭｄに基づいてプレビュー画像Ｐｉを生成するプレビュー画像生成処理を行う際の機能構成を示す概略的な機能ブロック図である。
【００２５】
ＣＰＵ１２０は、図２のＲＯＭ１３０からプログラムＰを読み出して実行する。すなわち、ＣＰＵ１２０は、プログラムＰを実行することにより、図３の印刷諸元指定部１０２、分光反射特性取得部１０８、プレビュー画像生成部１１０、表示制御部１１２、入力制御部１１４の各部を、主記憶手段であるＲＡＭ１３２上に生成する。
【００２６】
印刷諸元指定部１０２は、前述した印刷パラメータＭｐの指定を行う。印刷諸元指定部１０２は、通常印刷順指定部１０４と多重印刷順および基材指定部１０６を備える。印刷諸元指定部１０２は、原稿データＭｄを印刷する際の印刷条件である、トナーやインク等の色材の種類と、色材の重ね合わせ順を指定する。また、指定された色材の種類と色材の重ね合わせ順に基づく通常印刷の繰り返し回数（多重印刷回数）、または被印刷物である基材の種類を、印刷パラメータＭｐとして指定する。ここで、多重印刷とは、通常印刷を繰り返して行うことによって、より濃い濃度の印刷、より鮮やかな印刷を行うための印刷方法である。
【００２７】
通常印刷順指定部１０４は、操作者の指示に基づいて、原稿データＭｄを印刷する際の、色材の種類と、色材の重ね合わせ順と、を指定する。
【００２８】
多重印刷順および基材指定部１０６は、操作者の指示に基づいて、通常印刷順指定部１０４において指定された色材の種類と、色材の重ね合わせ順に基づく通常印刷の繰り返し回数および基材の種類を指定する。なお、このとき多重印刷順および基材指定部１０６は、基材として透明フィルムを指定することもできる。そして、透明フィルムが指定されたときには、多重印刷順および基材指定部１０６は、透明フィルムの表面または裏面のいずれに印刷を行うかを併せて指定することができる。
【００２９】
表示制御部１１２は、後述するＧＵＩ画面を図２のディスプレイ１３６に表示することによって、操作者が行う印刷条件の指定操作を支援する。また、表示制御部１１２は、画像処理装置１００が生成したプレビュー画像Ｐｉをディスプレイ１３６に表示する。
【００３０】
入力制御部１１４は、通常印刷順指定部１０４と多重印刷順および基材指定部１０６が、プレビュー画像Ｐｉを生成するために必要な情報を指定する際に、操作者が図２のタッチパネル１４０によって入力した情報を取得する。
【００３１】
分光反射特性取得部１０８は、通常印刷順指定部１０４が指定した色材の種類と多重印刷順および基材指定部１０６が指定した基材の種類に基づいて、図２のＨＤＤ１３４から、指定された色材および基材の波長毎の反射率を表す分光反射率をデータ化した分光反射率特性を取得する。
【００３２】
プレビュー画像生成部１１０は、原稿データＭｄと、通常印刷順指定部１０４と多重印刷順および基材指定部１０６において指定した印刷パラメータＭｐと、分光反射特性取得部１０８が取得した基材および色材の分光反射特性と、に基づいて、原稿データＭｄの印刷結果を模擬するプレビュー画像Ｐｉを生成するプレビュー画像生成処理を行う。プレビュー画像Ｐｉの具体的な生成方法については後述する。
【００３３】
（プレビュー画像の生成に必要な情報の指定方法の説明）
次に、図４と図５を用いて、プレビュー画像Ｐｉの生成に必要な情報である印刷パラメータＭｐの指定方法について説明する。図４は、１回の通常印刷動作で使用する色材の種類と色材の重ね合わせ順を指定する際に、通常印刷順指定部１０４が生成して表示制御部１１２が図２のディスプレイ１３６に表示するＧＵＩ画面１７０ａの一例を示す図である。また、図５は、印刷を行う際に使用する基材の種類と、基材の表面または裏面に対する多重印刷回数を指定する際に、多重印刷順および基材指定部１０６が生成して表示制御部１１２が図２のディスプレイ１３６に表示するＧＵＩ画面１７０ｂの一例を示す図である。
【００３４】
図４に示すＧＵＩ画面１７０ａは、１回の印刷動作で、基材である被印刷物Ｓの表面に塗り重ねる色材の種類と色材の層の重ね合わせ順を、最大５層までの範囲で指定することができる例である。
【００３５】
画像処理装置１００の操作者は、ＧＵＩ画面１７０ａを見ながら、タッチパネル１４０を操作して、各層（Ｌ１、Ｌ２、Ｌ３、Ｌ４、Ｌ５）に塗り重ねる色材の種類、および色材の重ね合わせ順を指定する。ＧＵＩ画面１７０ａの例では、通常のカラー印刷に用いるプロセスカラーであるＣＭＹＫの４色の色材と、高い光沢感を得る等の効果を生む特殊な色材であるクリア、ホワイトの２色の色材を合わせた合計６色の色材の中から、使用する色材を選択する。なお、ＧＵＩ画面１７０ａは、被印刷物Ｓの表面に印刷を行う例として、色材の重ね合わせ順を指定する構成になっているが、被印刷物Ｓの裏面に印刷を行う際にも、このＧＵＩ画面１７０ａを用いて、色材の重ね合わせ順の指定を行う。そして、被印刷物Ｓの表面、裏面のいずれに印刷するかは、この後で指定する。
【００３６】
図４の各層（Ｌ１、Ｌ２、Ｌ３、Ｌ４、Ｌ５）は、夫々チェック欄（２０１、２０２、２０３、２０４、２０５）を備えている。各チェック欄（２０１、２０２、２０３、３０４、２０５）は、色材の種類毎にチェックボックスＣを有している。画像処理装置１００の操作者は、タッチパネル１４０を用いて、各層（Ｌ１、Ｌ２、Ｌ３、Ｌ４、Ｌ５）毎に、塗り重ねる色材を示すチェックボックスＣｂを１つ選択する。該当するチェックボックスＣｂにチェックを入れることによって、各層（Ｌ１、Ｌ２、Ｌ３、Ｌ４、Ｌ５）に塗り重ねる色材の種類が選択される。
【００３７】
ＧＵＩ画面１７０ａは、被印刷物Ｓの表面から最も遠い層である層Ｌ５に、クリア色材を塗り重ねることを選択した例を示す。入力する層順は問わないが、操作者は、同様にして各層（Ｌ１、Ｌ２、Ｌ３、Ｌ４）に塗り重ねる色材の種類を選択する。なお、５層全てに塗り重ねる必要がないときは、必要な層数分だけ選択すればよい。
【００３８】
チェック欄２０６は、ＧＵＩ画面１７０ａで選択した１回の印刷動作で実行する内容を複数回繰り返す、いわゆる多重印刷を行うこと、または被印刷物Ｓとして特殊な基材を使用することを、多重印刷順および基材指定部１０６に指示するチェック欄である。操作者がチェック欄２０６にチェックを入れたときは、多重印刷順および基材指定部１０６は、後述するように、操作者に対して、基材の種類と多重印刷の回数の選択を要求する。また、被印刷物Ｓとして透明フィルムが選択されたときは、多重印刷順および基材指定部１０６は、操作者に対して、透明フィルムの表面、裏面のいずれの側に印刷するかの選択を要求する。
【００３９】
ＯＫボタン２０７は、ＧＵＩ画面１７０ａに入力した内容が正しいことを、通常印刷順指定部１０４に指示するボタンである。すなわち、画像処理装置１００の操作者がＯＫボタン２０７を選択したときは、ＧＵＩ画面１７０ａでなされた選択内容が正しいものであることが、通常印刷順指定部１０４に伝えられる。
【００４０】
キャンセルボタン２０８は、ＧＵＩ画面１７０ａでなされた選択内容の中に修正すべき箇所があることを、通常印刷順指定部１０４に指示するボタンである。このキャンセルボタン２０８が押下されたときは、ＧＵＩ画面１７０ａで選択された項目の中に修正すべき項目があることが、通常印刷順指定部１０４に伝えられる。そして、操作者はキャンセルボタン２０８を押下した後で、ＧＵＩ画面１７０ａで色材の種類と色材の重ね合わせ順を再選択する。
【００４１】
なお、図４に示す選択操作は、チェックボックス形式ではなく、各色材によって形成されるサムネイル画像の重ね合わせ順を、タッチパネル１４０のドラッグアンドドロップ操作によって入れ替えるＵＩ（User  Interface）によって構成してもよい。
【００４２】
ＧＵＩ画面１７０ａにおいて、チェック欄２０６にチェックが入ったときは、多重印刷順および基材指定部１０６は、図５の画面１７０ｂを生成する。そして、表示制御部１１２は、ＧＵＩ画面１７０ｂをディスプレイ１３６に表示する。なお、チェック欄２０６にチェックが入らずにＯＫボタン２０７が押下されたときは、被印刷物Ｓとして、既定の被印刷物として予め設定された、例えば白色用紙を用いて、その白色用紙の表面にＧＵＩ画面１７０ａで設定した色材の種類と重ね合わせ順で通常印刷を行うものとする。
【００４３】
図５に示すＧＵＩ画面１７０ｂは、基材の種類（白色用紙、透明フィルム、色紙）と、ＧＵＩ画面１７０ａで指定した色材の重ね合わせ順に基づく印刷を、基材の表裏面のいずれに対して行うかを指定する。さらに、その印刷の繰り返し回数を最大２回までの範囲で指定することができる例である。なお、ＧＵＩ画面１７０ｂは、前述したＧＵＩ画面１７０ａにおいて、チェック欄２０６にチェックが入ったときに表示される。
【００４４】
ＧＵＩ画面１７０ｂは、基材を選択するチェック欄３０１と、基材の表面に何回目の印刷を行うかを指定するチェック欄３０２、３０４、および基材の裏面に何回目の印刷を行うかを指定するチェック欄３０３、３０５を有する。
【００４５】
例えば、ＧＵＩ画面１７０ａで選択した重なり順で、透明フィルムの裏面側に１回の印刷を行う場合には、チェック欄３０１で「透明フィルム」を選択し、チェック欄３０３で「１回目」を選択する。
【００４６】
ＯＫボタン３０６は、ＧＵＩ画面１７０ｂに入力した内容が正しいときに次の処理に移行するためのボタンである。またキャンセルボタン３０７は、設定内容を取り消すためのボタンである。
【００４７】
なお、図５に示す選択操作は、チェック欄形式ではなく、基材の種類を示すサムネイル画像と、１回の印刷動作で形成されるサムネイル画像の重ね合わせ順を、タッチパネル１４０のドラッグアンドドロップ操作によって入れ替えるＵＩによって構成してもよい。
【００４８】
（プレビュー画像生成処理の説明）
次に、プレビュー画像生成部１１０が行うプレビュー画像生成処理の内容について説明する。ここでは、説明を簡単にするため、原稿データＭｄがＪａｐａｎＣｏｌｏｒ等の標準的なＣＭＹＫ形式のデータではなく、印刷装置固有のＣＭＹＫ＋α（クリア、ホワイト）形式のデータで入力されているものとして説明する。
【００４９】
原稿データＭｄのＣＭＹＫ＋αのデータは、原稿データＭｄの各画素におけるＣＭＹＫ＋αの各版の網点％を示しており、各成分が夫々０〜１００％の値をとるものとする。この網点％の値を０〜１に換算した値を、夫々ａｃ、ａｍ、ａｙ、ａｋ、ａαとする。また、ＣＭＹＫα各色を１００％ベタ（網点面積１００％）で白紙に印刷したときの各色の分光反射率を、夫々Ｒｃ（λ）、Ｒｍ（λ）、Ｒｙ（λ）、Ｒｋ（λ）、Ｒα（λ）とする。さらに、基材の分光反射率をＲｐ（λ）とする。
【００５０】
これらの網点％の値ａｃ、ａｍ、ａｙ、ａｋ、ａα、および各色の分光反射率Ｒｃ（λ）、Ｒｍ（λ）、Ｒｙ（λ）、Ｒｋ（λ）、Ｒα（λ）、基材の分光反射率Ｒｐ（λ）は、予め図２のＨＤＤ１３４に記憶しておく。
【００５１】
これらの値を用いて、各色の予測分光反射率Ｒｃ’（λ）、Ｒｍ’（λ）、Ｒｙ’（λ）、Ｒｋ’（λ）、Ｒα’（λ）は、夫々式１〜式５によって算出される。
Ｒｃ’（λ）＝｛（１−ａｃ）Ｒｐ（λ）＾（１／ｎ）＋ａｃ＊Ｒｃ（λ）＾（１／ｎ）｝＾ｎ              （式１）
Ｒｍ’（λ）＝｛（１−ａｍ）Ｒｐ（λ）＾（１／ｎ）＋ａｍ＊Ｒｍ（λ）＾（１／ｎ）｝＾ｎ              （式２）
Ｒｙ’（λ）＝｛（１−ａｙ）Ｒｐ（λ）＾（１／ｎ）＋ａｙ＊Ｒｙ（λ）＾（１／ｎ）｝＾ｎ              （式３）
Ｒｋ’（λ）＝｛（１−ａｋ）Ｒｐ（λ）＾（１／ｎ）＋ａｋ＊Ｒｋ（λ）＾（１／ｎ）｝＾ｎ              （式４）
Ｒα’（λ）＝｛（１−ａα）Ｒｐ（λ）＾（１／ｎ）＋ａα＊Ｒα（λ）＾（１／ｎ）｝＾ｎ              （式５）
【００５２】
式１〜式５は、ユールとニールセン（Yule-Nielsen）によって提案された分光反射率の予測式である。式１〜式５の定数ｎは経験的に決められる値であり、およそ１〜４程度の値をとる。ここでは、ｎ＝３とする。
【００５３】
式１から式５によって算出される各色の予測分光反射率Ｒｃ’（λ）、Ｒｍ’（λ）、Ｒｙ’（λ）、Ｒｋ’（λ）、Ｒα’（λ）を、夫々基材の分光反射率Ｒｐ（λ）で除することにより、各色の色材を均質な媒質であるとみなした分光透過率とする。このようにして算出した各色の分光透過率を掛け合わせた後、基材の分光反射率Ｒｐ（λ）を乗じることによって、式６に示す原稿データＭｄの分光反射率Ｒ’（λ）が得られる。
【００５４】
Ｒ’（λ）＝（Ｒｃ’（λ）／Ｒｐ（λ）＊Ｒｍ’（λ）／Ｒｐ（λ）＊Ｒｙ’（λ）／Ｒｐ（λ）＊Ｒｋ’（λ）／Ｒｐ（λ）＊Ｒα’（λ）／Ｒｐ（λ））＊Ｒｐ（λ）      （式６）
【００５５】
プレビュー画像生成部１１０は、式６によって算出された原稿データＭｄの分光反射率Ｒ’（λ）に、国際照明委員会（ＣＩＥ：Commision  Internationale  de  l'Eclairege）のＸＹＺ等色関数を掛け合わせてＸＹＺ三刺激値を算出する。そして、プレビュー画像生成部１１０は、算出されたＸＹＺ三刺激値を、色空間ｓＲＧＢまたはＡｄｏｂｅＲＧＢ（Ａｄｏｂｅは登録商標）を想定してＲＧＢ値へ変換することによって、プレビュー画像ＰｉのＲＧＢ値を算出する。プレビュー画像生成部１１０は、同様の演算を原稿データＭｄの全ての画素に対して行うことによって、プレビュー画像Ｐｉを生成する。
【００５６】
なお、ここでは、ＣＭＹＫαとして原稿データＭｄをそのまま用いたが、予め実験的に求めた網点％と、印刷時には実際のデータよりも印刷物の色が濃く見えるドットゲインを考慮した実効面積率と、をＨＤＤ１３４に記憶しておき、記憶された網点％と実効面積率を用いて、網点％から面積率への換算を行うことによって、プレビュー画像Ｐｉの予測精度を高める構成としてもよい。
【００５７】
（原稿データの左右反転処理の説明）
次に、原稿データＭｄを透明フィルムの裏面に印刷する際に行う、原稿データＭｄの左右反転処理について説明する。
【００５８】
基材が透明フィルムであり、原稿データＭｄをその透明フィルムの裏面に印刷するときには、原稿データＭｄの左右を反転させた状態で重ね合わせないと、透明フィルムを表面側から見たときに、正しいプレビュー画像Ｐｉを得ることができない。そのため、原稿データＭｄに対して、画素の左右の並び順を反転させる画像処理を行う。
【００５９】
原稿データＭｄは、個々の画素が２次元のマトリクス状に配列されることによって形成されている。そして、原稿データＭｄの任意の画素のアドレスは、２次元形式または１次元形式で表現することができる。
【００６０】
原稿データＭｄの各画素を指し示すアドレスが、縦横の２次元形式で表現されるときには、原稿データＭｄの左右方向のデータの並びを逆順に並べ替えるには、２次元アドレスのうち、左右方向の位置を表すアドレスを、左右逆順に並び替える処理を行えばよい。そして、上下方向の位置を表すアドレスは変更しない。
【００６１】
例えば、原稿データＭｄが、左右方向画素数Ｍ、上下方向画素数Ｎからなり、原稿データＭｄの任意の画素Ｇの左右方向の座標をｘ、上下方向の座標をｙとする。すなわち、画素Ｇの座標がＧ（ｘ、ｙ）（０≦ｘ≦Ｍ−１、０≦ｙ≦Ｎ−１）で表現されるとする。このとき、原稿データＭｄを左右逆順に並び替えた並べ替え原稿データＭｄ’における画素Ｇに対応する画素Ｇ’の座標をＧ’（Ｘ、Ｙ）とすると、座標Ｘ、Ｙは、夫々式７、式８で算出することができる。
Ｘ＝Ｍ−ｘ−１（０≦ｘ≦Ｍ−１）          （式７）
Ｙ＝ｙ（０≦ｙ≦Ｎ−１）                  （式８）
【００６２】
一方、原稿データＭｄの左右方向画素数がＭ、上下方向画素数Ｎからなり、原稿データＭｄの各画素を指し示すアドレスが１次元形式で表現されるとする。例えば、原稿データＭｄの任意の画素Ｈの座標がＨ（ｕ）（０≦ｕ≦ＭＮ−１）で表現されるとする。このとき、原稿データＭｄを左右逆順に並べ替えた並べ替え原稿データＭｄ’における画素Ｈに対応する画素Ｈ’の座標をＨ’（Ｕ）とすると、Ｕは式９で算出することができる。
Ｕ＝２Ｍ＊ｉｎｔ（ｕ／Ｍ）＋Ｍ−ｕ−１    （式９）
ただし、ｉｎｔ（Ｚ）は、Ｚを超えない最大の整数を表す。このように、原稿データＭｄの画素の表現形式に基づいた方法で、原稿データＭｄの左右反転処理を行うことができる。
【００６３】
（画像処理装置が行う処理の流れの説明）
次に、図６のフローチャートを用いて、画像処理装置１００が行うプレビュー画像生成処理の流れについて説明する。
【００６４】
通常印刷順指定部１０４は、図４のＧＵＩ画面１７０ａを生成する。表示制御部１１２は、生成されたＧＵＩ画面１７０ａをディスプレイ１３６に表示する。そして、通常印刷順指定部１０４は、操作者がＧＵＩ画面１７０ａにおいて入力した情報に基づいて、色材の種類と色材の重ね合わせ順である通常印刷順を指定する（ステップＳ１０）。
【００６５】
通常印刷順指定部１０４は、多重印刷回数と基材の種類の少なくとも一方を指定するかを確認する（ステップＳ１２）。具体的には、ＧＵＩ画面１７０ａのチェック欄２０６（図４）にチェックがあるかを確認する。チェック欄２０６にチェックがあるとき（ステップＳ１２；Ｙｅｓ）は、ステップＳ１４に進み、それ以外のとき（ステップＳ１２；Ｎｏ）はステップＳ２８に進む。
【００６６】
多重印刷順および基材指定部１０６は、図５のＧＵＩ画面１７０ｂを生成する。表示制御部１１２は、生成されたＧＵＩ画面１７０ｂをディスプレイ１３６に表示する。そして、多重印刷順および基材指定部１０６は、操作者がＧＵＩ画面１７０ｂにおいて入力した情報に基づいて、多重印刷順および基材指定部１０６に対して、多重印刷順および基材の種類を指定する（ステップＳ１４）。
【００６７】
多重印刷順および基材指定部１０６は、ＧＵＩ画面１７０ｂのチェック欄３０１の透明フィルムの欄がチェックされたかを確認する（ステップＳ１６）。透明フィルムの欄がチェックされたとき（ステップＳ１６；Ｙｅｓ）は、透明基材に印刷すると判断してステップＳ１８に進み、それ以外のとき（ステップＳ１６；Ｎｏ）はステップＳ２２に進む。
【００６８】
多重印刷順および基材指定部１０６は、ＧＵＩ画面１７０ｂのチェック欄３０３またはチェック欄３０５がチェックされたかを確認する（ステップＳ１８）。チェック欄３０３またはチェック欄３０５がチェックされたとき（ステップＳ１８；Ｙｅｓ）は、基材の裏面に印刷すると判断してステップＳ２０に進み、それ以外のとき（ステップＳ１８；Ｎｏ）はステップＳ２２に進む。
【００６９】
プレビュー画像生成部１１０は、原稿データＭｄを左右反転する（ステップＳ２０）。
【００７０】
プレビュー画像生成部１１０は、ＨＤＤ１３４から色材と基材の分光反射特性を取得する（ステップＳ２２）。
【００７１】
プレビュー画像生成部１１０は、プレビュー画像Ｐｉを生成する（ステップＳ２４）。
【００７２】
表示制御部１１２は、ディスプレイ１３６にプレビュー画像Ｐｉを表示する（ステップＳ２６）。そして、図６の処理を終了する。
【００７３】
なお、ステップＳ１２でチェック欄２０６にチェックがないとき（ステップＳ１２；Ｎｏ）は、通常印刷順指定部１０４は、ステップＳ１０で指定された内容で通常印刷を行うように設定する（ステップＳ２８）。その後、ステップＳ２２に進む。
【００７４】
以上のように、本実施形態に係る画像処理装置１００によれば、通常印刷順指定部１０４は、原稿データＭｄを基材に印刷する際に用いる色材の種類と、色材の印刷時の重ね合わせ順と、を指定する。そして、多重印刷順および基材指定部１０６は、通常印刷順指定部１０４において指定された色材の種類と色材の重ね合わせ順に基づく通常印刷の繰り返し回数と、基材の種類と、のうち少なくとも一方を指定する。そして、プレビュー画像生成部１１０は、通常印刷順指定部１０４と多重印刷順および基材指定部１０６において指定された情報に基づいて、原稿データＭｄの印刷結果を模擬したプレビュー画像Ｐｉを生成する。したがって、様々な印刷条件、すなわち、基材の種類、色材の種類、色材の重ね合わせ順、通常印刷の繰り返し回数応じたプレビュー画像Ｐｉを生成することができるため、色材、基材の重なり順に応じた印刷結果を、印刷を実行する前に確認することができる。
【００７５】
また、本実施形態に係る画像処理装置１００によれば、プレビュー画像生成部１１０は、多重印刷順および基材指定部１０６が、基材として透明フィルムを指定して、なおかつ透明フィルムの裏面側に原稿データＭｄの印刷を指定したことを条件として、原稿データＭｄの左右を反転させて、基材の裏面側に重ね合わせる。したがって、透明フィルムの裏面側に印刷を行う場合であっても、生成したプレビュー画像Ｐｉにおいて原稿データＭｄの左右を正しくプレビューすることができる。
【００７６】
さらに、本実施形態に係る複写機１６０（画像処理システム）は、画像印刷装置１６４が、画像処理装置１００において印刷パラメータＭｐとして設定された印刷条件によって、原稿データＭｄを印刷する。したがって、原稿データＭｄを印刷データＰｄとして印刷することができる。
【００７７】
そして、本実施形態に係る画像処理装置１００は、プログラムＰが、ＣＰＵ１２０（コンピュータ）が読み取り可能な記録媒体Ｄに記録されて提供される。したがって、プログラムＰの可搬性を向上させることができる。
【００７８】
なお、前述した画像処理装置１００において、演算手段であるＣＰＵ１２０がプログラムＰに従って動作することにより実現する機能は、画像処理専用のハードウェアで実現してもよい。図７は、複写機１６０のハードウェア構成を示すハードウェアブロック図である。
【００７９】
図７に示す画像処理装置１００は、画像印刷装置１６４を動作させるプリンタエンジン等のエンジン部６０とＰＣＩバス１２２で接続されている。画像処理装置１００は、ＣＰＵ１２０と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application  Specific  Integrated  Circuit）１６と、ＨＤＤ１３４とを有する。ノースブリッジ（ＮＢ）１３とＡＳＩＣ１６はＡＧＰ（Accelerated  Graphic  Port）バス１５で接続されている。また、ＭＥＭ−Ｐ１２は、ＲＯＭ１３０とＲＡＭ１３２を有する。
【００８０】
ＣＰＵ１２０は、画像処理装置１００の全体制御を行うものであり、ＮＢ１３、ＭＥＭ−Ｐ１２およびＳＢ１４からなるチップセットを有し、このチップセットを介して他の機器と接続される。
【００８１】
ＮＢ１３は、ＣＰＵ１２０とＭＥＭ−Ｐ１２、ＳＢ１４、ＡＧＰバス１５とを接続するためのブリッジであり、ＭＥＭ−Ｐ１２に対する読み書き等を制御するメモリコントローラと、ＰＣＩマスタおよびＡＧＰターゲットとを有する。
【００８２】
ＭＥＭ−Ｐ１２は、プログラムやデータの格納用メモリである。ＲＯＭ１３０とＲＡＭ１３２は、夫々、図２で説明した機能を有する。
【００８３】
ＳＢ１４は、ＮＢ１３とＰＣＩデバイス、周辺デバイスとを接続するためのブリッジである。このＳＢ１４は、ＰＣＩバスを介してＮＢ１３と接続されている。
【００８４】
ＡＳＩＣ１６は、画像処理用のハードウェア要素を有する画像処理用途向けのＩＣ（Integrated  Circuit）であり、ＡＧＰ１５、ＰＣＩバス、ＨＤＤ１３４およびＭＥＭ−Ｃ１７を夫々接続するブリッジの役割を有する。ＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより、原稿データＭｄに対する演算を行う複数のＤＭＡＣ（Direct  Memory  Access  Controller）と、エンジン部６０との間でＰＣＩバスを介したデータ転送を行うＰＣＩユニットとを有する。
【００８５】
また、ＡＳＩＣ１６には、操作表示部１４１としてのディスプレイ１３６とタッチパネル１４０が接続されている。
【００８６】
ＡＳＩＣ１６は、前述した構成を有することによって、実施形態で説明した画像処理装置１００として機能する。そして、実施形態においてＣＰＵ１２０がプログラムＰに従って実行する図３の印刷諸元指定部１０２、分光反射特性取得部１０８、プレビュー画像生成部１１０の各機能を、ハードウェアによって実行する。
【００８７】
ＭＥＭ−Ｃ１７は、コピー用画像バッファ、符号バッファとして用いるローカルメモリであり、ＨＤＤ１３４は、画像データの蓄積、プログラムの蓄積、フォントデータの蓄積、フォームの蓄積を行うストレージである。
【００８８】
ＡＧＰバス１５は、グラフィック処理を高速化するためのグラフィックアクセラレータカード用のバスインタフェースであり、ＭＥＭ−Ｐ１２に高スループットで直接アクセスすることにより、グラフィックアクセラレータカードを高速に動作させる。
【００８９】
なお、上記実施の形態では、本発明の画像処理装置を複写機に適用した例を挙げて説明したが、本発明は、プリンタ、スキャナ装置、ファクシミリ装置等の機能を有する画像処理装置であれば、いずれにも適用することができる。
【符号の説明】
【００９０】
１００    画像処理装置
１０２    印刷諸元指定部
１０４    通常印刷順指定部
１０６    多重印刷順および基材指定部
１０８    分光反射特性取得部
１１０    プレビュー画像生成部
１１２    表示制御部
１１４    入力制御部
Ｍｄ      原稿データ
Ｐｉ      プレビュー画像
【先行技術文献】
【特許文献】
【００９１】
【特許文献１】特許第４９６０８４０号公報
【図１】
0006648562.tif 000002
【図２】
0006648562.tif 000003
【図３】
0006648562.tif 000004
【図４】
0006648562.tif 000005
【図５】
0006648562.tif 000006
【図６】
0006648562.tif 000007
【図７】
0006648562.tif 000008